(57)【特許請求の範囲】
【請求項１】
ディスクが載置される載置部が形成されているターンテーブルであり、載置部のディスク載置面の外周側に硬質シートを接着固定するとともにその内周側に軟質シートを接着固定したことを特徴とするターンテーブル装置。
【請求項２】
軟質シートの厚みを硬質シートより厚くしたことを特徴とする請求項１に記載のターンテーブル装置。
【請求項３】
載置部に軟質シートが挿入される取付溝を形成したことを特徴とする請求項２に記載のターンテーブル装置。
【請求項４】
軟質シートの材質をディスクの振動周波数に合わせて設定したことを特徴とする請求項１に記載のターンテーブル装置。
【請求項５】
硬質シートの外周側に軟質シートを接着固定したことを特徴とする請求項１に記載のターンテーブル装置。
【発明の詳細な説明】
【０００１】
【発明の属する技術分野】
本発明は、光ディスク装置に組み込まれるターンテーブル装置に係る。
【０００２】
【従来の技術】
光学式ピックアップを用いてディスクに記録されている信号の読み取り動作を行うように構成された光ディスク再生装置が普及しているが、斯かる光ディスク再生装置は、ディスクが載置されるとともに該ディスクを回転させるターンテーブルを備えている。
【０００３】
光ディスク再生装置の代表的なものとしては、ＣＤプレーヤーが一般に良く知られているが、最近ではコンピューターと組み合わせて使用するＣＤ−ＲＯＭプレーヤーと呼ばれる光ディスク再生装置が普及している。
【０００４】
また、ディスクに記録されている信号の再生動作だけでなく該ディスクに信号を記録することが出来る光ディスク記録装置が普及している。
【０００５】
【発明が解決しようとする課題】
ＣＤ−ＲＯＭプレーヤーは、音声信号を再生するＣＤプレーヤーと異なり、信号の高速読み出しが要求されるため、最近では、規定の線速度に対して、４倍、８倍及び１２倍等の高速の線速度にてディスクを回転させて信号の読み出し動作を行うように構成されている。また、ディスクに信号を記録することが出来る光ディスク記録再生装置においても同様に高速記録動作を行うことが要求されるため、ディスクの回転速度を規定の線速度より高速にした状態にて記録動作を行うことが出来るように構成されている。
【０００６】
ディスクを高速にて回転駆動する場合、ディスクの偏重心や反り等に起因して面振れが発生し、ディスクに記録されている信号の読み出し動作及び該ディスクへの信号の記録動作を正確に行うことが出来ないという問題がある。
【０００７】
本発明は、斯かる問題を解決したターンテーブル装置を提供しようとするものである。
【０００８】
【課題を解決するための手段】
本発明のターンテーブル装置は、ターンテーブルに形成されている載置部のディスク載置面の外周側に硬質シートを接着固定するとともにその内周側に軟質シートを接着固定することによってディスクの回転特性を向上させている。
【０００９】
【実施例】
図１は本発明のターンテーブル装置を示す側断面図、図２は本発明のターンテーブル装置の平面図である。
【００１０】
図１において、１はディスクＤを回転駆動する電動機の回転軸、２は前記回転軸１と共に回転するべく該回転軸１に圧入固定されるターンテーブルであり、ディスクＤが載置される載置部３が形成されているとともに前記回転軸１が圧入される圧入部４が形成されている。
【００１１】
５は前記ターンテーブル２に形成されている圧入部４に圧入されることによって該ターンテーブル３と一体的に回転するべく取り付けられるとともにディスクＤに形成されている中心孔Ｄ１と嵌合し該ディスクＤの位置決めをするセンタリング部材である。
【００１２】
６は前記ターンテーブル２の載置部３のディスク載置面３Ａに両面テープ等によって接着固定されている硬質シートであり、図２に示すようにリング状に設けられている。７は前記硬質シート６の内周側に設けられているリング状の取付溝３Ｂ内に両面テープ等によって接着固定されている軟質シートであり、図２に示すようにリング状に設けられている。
【００１３】
斯かる構成において、前記軟質シート７の材質及び厚さ等はディスクＤの振動周波数に合わせて選定且つ設定される。また、ディスクＤがターンテーブル２の載置部３に載置された状態にあるとき、ディスクＤが水平になるように硬質シート６及び軟質シート７の厚さは設定される。前述したように本発明に係るターンテーブル装置は構成されているが、ディスクＤをターンテーブル３の載置部３上に保持するクランプ機構としては、例えばボールチャッキングと呼ばれる周知のクランプ機構を使用すれば良いので、その説明は省略する。
【００１４】
以上に説明したように本発明は構成されており、電動機への通電動作が行われると、その回転軸１が所望の回転速度にて回転駆動される。前記回転軸１が回転すると、該回転軸１に圧入固定されているターンテーブル２が回転駆動せしめられるので、該ターンテーブル２の載置部３に載置されているディスクＤは所望の回転速度にて回転駆動されることになる。斯かる回転駆動状態にあるとき、ディスクＤに偏重心や反りがあると、該ディスクＤは硬質シート６と接触した点を支点として振動しようとするが、このとき該硬質シート６の内周側に設けられている軟質シート７がディスクＤの振動を抑えるように作用する。従って、ディスクＤを高速回転させても該ディスクＤが振動することを防止することが出来るので、ディスクＤに面振れが発生することはない。
【００１５】
尚、本実施例では、硬質シート６の内周側に軟質シート７を配置したが、内周側だけでなく外周側にも軟質シートを配置させることも出来る。また、硬質シート６及び軟質シート７をターンテーブル２のディスク載置面３Ａ上にリング状に配置したが、所定の角度になるように複数箇所に配置するようにすることも出来る。そして、軟質シート７の厚さを硬質シート６よりも厚くしたが、同一の厚さにすることも勿論可能である。即ち、各シートの材質や厚さ等は、ディスクＤの振動周波数を考慮して設定されることになる。
【００１６】
【発明の効果】
本発明のターンテーブル装置は、ターンテーブルに設けられている載置部のディスク載置面の外周側に硬質シートを接着固定するとともにその内周側に軟質シートを接着固定したので、ディスクを高速回転させた場合に発生するディスクの振動を抑えることが出来る。それ故、本発明のターンテーブル装置を使用すればディスクからの信号の読み出し動作及び該ディスクへの信号の記録動作を高速回転状態においても正確に行うことが出来る。
【００１７】
また、本発明は、軟質シートの厚みを硬質シートより厚くしたので、ディスクの振動を抑える効果を高めることが出来る。
【００１８】
そして、本発明は、載置部に軟質シートが挿入される取付溝を形成したので、該軟質シートの固定動作を正確に行うことが出来る。
【００１９】
また、本発明は、軟質シートの材質をディスクの振動周波数に合わせて設定したので、振動抑制効果を高めることが出来る。
【００２０】
そして、本発明は、硬質シートの内周側だけでなく外周側に軟質シートを接着固定するようにしたので、ディスクの回転特性に合わせた振動抑制動作を行うように設定することが出来る。
【図面の簡単な説明】
【図１】本発明のターンテーブル装置を示す側断面図である。
【図２】本発明のターンテーブル装置の平面図である。
【符号の説明】
１          回転軸
２          ターンテーブル
３          載置部
５          センタリング部材
６          硬質シート
７          軟質シート
Ｄ          ディスク
【図１】
0003773820.tif 000002
【図２】
0003773820.tif 000003